(57)【特許請求の範囲】
【請求項１】
上バンド体によって上支持金具を、下バンド体によって下支持金具をそれぞれ電柱に締付け、該上支持金具と下支持金具によって柱上変圧器を支持させた柱上変圧器の装柱装置において、前記上バンド体の上方に位置させて前記電柱に締付けた上取付けバンド体と、前記下バンド体の下方に位置させて前記電柱に締付けた下取付けバンド体のそれぞれに支持部片を突設し、該支持部片にわたして端部を止着した縦アームに、長手方向に沿わせて調節孔を列設し、適宜の調節孔に透孔を一致させてボルトとこれに螺合したナットで前記縦アームに取付けた上支持枠を前記上支持金具と、下支持枠を前記下支持金具とそれぞれ同じ高さ位置に配すると共に、前記上支持枠に新たに追加する柱上変圧器に突設した上掛止枠を、下支持枠には下掛止枠をそれぞれ支持させた、柱上変圧器の追加装柱装置。
【発明の詳細な説明】
【技術分野】
【０００１】
本発明は、柱上変圧器の追加装柱装置に関するものである。
【背景技術】
【０００２】
上バンド体によって上支持金具を、下バンド体によって下支持金具をそれぞれ電柱に締付け、上、下の支持金具に支持させて柱上変圧器を装柱するようにした、柱上変圧器の装柱装置は公知である（例えば、特許文献）。
【０００３】
【特許文献１】特開平８−１１５８２２号公報
【特許文献２】実開平４−３４７０６号公報
【発明の開示】
【発明が解決しようとする課題】
【０００４】
前記従来装置において、もう１台の変圧器を追加する必要が生じたときは、既設の上、下のバンド体に近接させて変圧器追加用の新たなバンド体によって上、下の支持金具を装柱し、該支持金具に新たな変圧器を支持させれば充分なのであるが、新旧バンド体の上下方向のずれによって、新旧一対の変圧器が電柱に段違いにして装柱されている姿は、外観上好ましいとはいえず、好ましくするためには、すなわち、一対の変圧器がほぼ同一高さ位置にした装柱状態を得るには、既設のものも一旦取り外して、両者共通の変台上に載置して（変台装柱方式）装柱し直す必要がある。
【０００５】
本発明は、斯様な従来例の欠点に着目し、所謂直付装柱方式によって装柱された既設の柱上変圧器に新たな柱上変圧器を追加装柱でき、しかも、装柱高さを既設のものとほぼ同程度に配置し、外観体裁を損うことのない装柱状態を得られる装柱装置を提供することを目的として創案したものである。
【課題を解決するための手段】
【０００６】
上バンド体によって上支持金具を、下バンド体によって下支持金具をそれぞれ電柱に締付け、該上支持金具と下支持金具によって柱上変圧器を支持させた柱上変圧器の装柱装置において、前記上バンド体の上方に位置させて前記電柱に締付けた上取付けバンド体と、前記下バンド体の下方に位置させて前記電柱に締付けた下取付けバンド体のそれぞれに支持部片を突設し、該支持部片にわたして端部を止着した縦アームに、長手方向に沿わせて調節孔を列設し、適宜の調節孔に透孔を一致させてボルトとこれに螺合したナットで前記縦アームに取付けた上支持枠を前記上支持金具と、下支持枠を前記下支持金具とそれぞれ同じ高さ位置に配すると共に、前記上支持枠に新たに追加する柱上変圧器に突設した上掛止枠を、下支持枠には下掛止枠をそれぞれ支持させた構成とするのである。
【発明の効果】
【０００７】
本発明は、前記の通りの構成であるから、既設の柱上変圧器および該柱上変圧器を装柱したバンド体等の取付け機器に干渉されることなく、新たな柱上変圧器を追加装柱を行うことができ、また、新旧の柱上変圧器がほぼ同一高さ位置に存する装柱状態を得られるから外観体裁も良好で、好適である。
【実施例】
【０００８】
図面は本発明に係る柱上変圧器の追加装柱装置の一実施例を示し、図１は正面図、図２は図１の一部欠截拡大図、図３は図２の平面図、図４は図１の他の一部欠截拡大図、図５は図４の平面図である。
【０００９】
実施例は、既設の柱上変圧器（以下、旧柱上変圧器と称する）１を装柱した電柱Ｄに、新たに、他の柱上変圧器（新柱上変圧器と称する）２を追加装柱した適用例を示すものであるが、旧柱上変圧器１の装柱時と新柱上変圧器２の装柱時との間に時間的経過は必ずしも必要としない。
【００１０】
旧柱上変圧器１は、上バンド体３によって上支持金具４を、下バンド体５によって下支持金具６をそれぞれ電柱Ｄに締付け、電柱Ｄより突出する各支持金具４，６の受支部４ａ，６ａに前記変圧器１の周側に突設した掛止枠７´，８´を掛止し、止着して装柱したものである（この装柱構造は公知）。
【００１１】
新柱上変圧器２は前記上バンド体３の上方に位置させて電柱Ｄに締め付けた上取付けバンド体９と、前記下バンド体５の下方に位置させて電柱Ｄに締め付けた下取付けバンド体１０にわたした縦フレーム１１の適所に上、下の支持枠１２，１３を取付け、該支持枠１２，１３に旧柱上変圧器１と同様に新柱上変圧器１に突設した掛止枠７，８を掛止、止着して装柱し、前記縦フレーム１１の長手（上下）方向に列設した調節孔１４，…の適宜のものを利用して支持枠１２，１３を旧柱上変圧器１側の上支持金具４又は下支持金具６と同じ高さ位置に配するようにして、該支持枠１２，１３に掛止、止着することにより、旧柱上変圧器１とほぼ同じ高さに装柱したものである。
【００１２】
上下の取付けバンド体９,１０は、中央に平面視コの字形の腕枠９ａ，１０ａを突設した中央部片９Ａ，１０Ａと該中央部片９Ａ，１０Ａの左右両側に接続ボルト１５と接続ナット１６で一端を接続した側部片９Ｂ，１０Ｂとで成り、電柱Ｄに巻回して、側部片９Ｂ，１０Ｂの他端間に締付けボルト１７をわたし、該ボルト１７の先端に締付けナット１８を螺合し締付けて、前記の通り、上取付けバンド体９は上バンド体３より上方で、下取付けバンド体１０は下バンド体５の下方でそれぞれ装柱したものである。
【００１３】
前記縦フレーム１１は鋼製の角筒体で成り、両側面を貫通させて構成して、長手方向に沿わせて列設した前記調節孔１４，…を備えて成り、上端部を上取付けバンド体９の前記腕枠９ａの内側に、下端部を下取付けバンド体１０の前記腕枠１０ａの内側にそれぞれ嵌合し、これらに貫通させた組付けボルト１９´と該ボルト１９´に螺合した組付けナット２０´によって締付けて、前記の通り、上、下の取付けバンド体９，１０にわたして装柱したものである。
【００１４】
前記上支持枠１２は、主体枠１２Ａと該主体枠１２Ａの中央部片１２Ａ´に突設した平面視コ形状の受支枠１２Ｂとで成り、前記主体枠１２Ａを前記中央部片１２Ａ´の両側に相対設した側部片１２Ａ´´，１２Ａ´´で構成した平面視コ形枠に底部片１２´Ａ´と、前記中央部片１２Ａ´に底部片１２´Ａ´を介して相対する規制部片１２´Ａ´´を設けて構成し、側部片１２Ａ´´，１２Ａ´´に設けた透孔２１を該側部片１２Ａ´´,１２Ａ´´の自由端間に内嵌した前記縦フレーム１１に設けた適宜の前記調節孔１４と一致させ、これらに前記組付けボルト１９を貫通させ、透孔２１より突出するボルト先端に前記組付けナット２０を螺合して、前記縦フレーム１１に組付けたものである。
【００１５】
この上支持枠１２の、前記受支枠１２Ｂの主体枠１２Ａ側の基部の上縁に凹入縁２２を設け、該凹入縁２２に新柱上変圧器２に設けた前記掛止枠７を掛止し、該掛止枠７の中央部片７ａと上支持枠１２の主体枠１２Ａの中央部片１２Ａ´を互いに重ね合わせて側面視逆Ｕ字形の挟持枠２３で挟持し、これらに固定ボルト２５を嵌挿し、その先端にナット２６を螺合締付けて新柱上変圧器２の上部側は、電柱Ｄに取付けられている。
【００１６】
また、前記下支持枠１３は、前記上支持枠１２の主体枠１２Ａと略同構成を成すもので、中央部片１３Ａの両側に相対設した側部片１３Ｂ，１３Ｂで構成した平面視コ形枠に底部片１３´Ａ´と、前記中央部片１３Ａに底部片１３´Ａ´を介して相対する規制部片１３´Ａ´´を設けて構成し、側部片１３Ｂ，１３Ｂに設けた縦長の透孔２７を、該側部片１３Ｂ，１３Ｂの自由端間に内嵌した前記縦フレーム１１に設けた適宜の前記調節孔１４と一致させ、これらに組付けボルト１９を貫通させ、透孔２７より突出するボルト先端に組付けナット２０を螺合して、前記縦フレーム１１に組付けたものである。
【００１７】
この下支持枠１３の中央部片１３Ａの上部に先端に係止部片２８ａを備えた受支杆２８を突設し、該受支杆２８に新柱上変圧器２に設けた前記掛止８の中央部片８ａの下端に設けた切欠２９を係合してその奥端（上端）縁を該受支杆２８に受支させて新柱上変圧器１の下部側は下支持枠１３等を介して電柱Ｄに支持されている。
【００１８】
そして、旧柱上変圧器１を装柱した電柱Ｄに新柱上変圧器２を追加装柱するには、電柱Ｄに上下の取付けバンド体９，１０によって縦フレーム１１を、前記の通り、装柱し、該縦フレーム１１に前記の通りにして上下支持枠１２，１３を取付け（上下支持枠１２，１３の規制部片１２´Ａ´´，１３´Ａ´´は、この取付けに際し、縦フレーム１１が当接して、縦フレーム１１が相対的に中央部片１２Ａ´，１３Ａ´方向への移動を規制し、調節孔１４と透孔２１，２７の一致合わせ操作が容易となる）ておき、新柱上変圧器２をクレーン等で吊り上げ、先に装柱した上支持枠１２の受支枠１２Ｂの凹入縁２２に新柱上変圧器２側の上掛止枠７の中央部片７ａを掛止する一方、下掛止枠８の中央部片８ａに設けた切欠２９を下支持枠１３側の受支枠２８に係合し、上掛止枠７側は挟持枠２３並びに固定ボルト２５および固定ナット２６を用いて締付け、下掛止枠８側は、ボルト体で構成した前記受支杆２８に螺合したナット３２に締付けて該下掛止枠８の中央部片８ａに圧接させることにより、その作業を終える。
【図面の簡単な説明】
【００１９】
【図１】正面図。
【図２】図１の一部欠截拡大図。
【図３】図２の平面図。
【図４】図１の他の一部欠截拡大図。
【図５】図４の平面図。
【符号の説明】
【００２０】
１，２      柱上変圧器
３          上バンド体
４          上支持金具
５          下バンド体
６          下支持金具
７          上掛止枠
８          下掛止枠
９          上取付けバンド体
９ａ        支持部片
１０        下取付けバンド体
１０ａ      支持部片
１１        縦アーム
１２        上支持枠
１３        下支持枠
１４        調節孔
１９        ボルト
２０        ナット
２１        透孔
２７        透孔
【図１】
0005022918.tif 000002
【図２】
0005022918.tif 000003
【図３】
0005022918.tif 000004
【図４】
0005022918.tif 000005
【図５】
0005022918.tif 000006